(57)【要約】【課題】  蓋の開閉がしやすく、設置性も良い洗濯機を提供する。【解決手段】  外筐１５の洗濯物出入口１９を開閉する蓋２４を後蓋２４ａと前蓋２４ｂとで構成するものにおいて、その後蓋２４ａを外筐１５に上下に回動可能に枢支し、前蓋２４ｂを後蓋２４ａに前後にスライド可能に組み合わせる。これにより、蓋２４の開放時には、前蓋２４ｂを後方にスライドさせた後に、後蓋２４ａと共に上方に回動させれば良く、閉鎖時には、前蓋２４ｂを後蓋２４ａと共に下方に回動させた後に、後蓋２４ａから前方にスライドさせれば良い。又、後方にスライドさせた前蓋２４ｂは、後蓋２４ａに添って重なるもので、従来の二つに折る蓋ほど蓋２４の厚みが大きくなることがないので、後方に大きく倒して開放させる必要もなく、家屋の室壁から出ている水道栓との干渉を避けやすくなることにより、洗濯機の設置性を良くすることができる。【選択図】  図１
2005152407.tif 000002
【特許請求の範囲】
【請求項１】
槽を内設した外筐の上部に洗濯物出入口を具え、
この洗濯物出入口を開閉する蓋を後蓋と前蓋とで構成し、
その後蓋を外筐に上下に回動可能に枢支し、
前蓋を後蓋に前後にスライド可能に組み合わせて成ることを特徴とする洗濯機。
【請求項２】
前蓋が、後蓋と二層に重なってスライドすることを特徴とする請求項１記載の洗濯機。
【請求項３】
前蓋が、後方へのスライド時に後蓋に衝止される突部を有することを特徴とする請求項１記載の洗濯機。
【請求項４】
前蓋が、表面より突出する取手を有することを特徴とする請求項１記載の洗濯機。
【請求項５】
前蓋が、前縁より前方に突出する取手を有することを特徴とする請求項１記載の洗濯機。
【請求項６】
前蓋が、前後方向に回動可能な取手を有することを特徴とする請求項１記載の洗濯機。
【発明の詳細な説明】
【技術分野】
【０００１】
本発明は、洗濯物出入口を開閉する蓋を改良した洗濯機に関する。
【背景技術】
【０００２】
従来より、洗濯機においては、図１０に示すように、外筐１の上部に洗濯物出入口２が具えられ、この洗濯物出入口２を開閉する蓋３が後蓋３ａと前蓋３ｂとで構成されたものが供されている。しかして、このものにおいては、後蓋３ａが後端部を外筐１に上下に回動可能に枢支され、この後蓋３ａの前端部に前蓋３ｂが後端部を同じく上下に回動可能に連結されている。
【０００３】
従って、このものにおいては、蓋３の開放時には、図１１に示すように、後蓋３ａが外筐１から上方に回動され、この後蓋３ａから前蓋３ｂが下方に回動されて、蓋３全体としては二つに折られて開放されるようになっている。又、蓋３の閉鎖時には、上述の状態から後蓋３ａが下方に回動され、この後蓋３ａから前蓋３ｂが上方（前方）に回動されて、蓋３全体としては一つに伸ばされて閉鎖されるようになっている（図１０参照）。
【特許文献１】特開平６−３３５５９５号公報
【発明の開示】
【発明が解決しようとする課題】
【０００４】
しかしながら、上述の、蓋３を後蓋３ａと前蓋３ｂとで二つに折って開放し、そして、一つに伸ばして閉鎖するものの場合、その開閉がさせにくいという使用感を使用者に持たれることがあった。
又、蓋３の内側に、図１１に示す内蓋４、及び図１２に示す内蓋５を有するものの場合、開放したそれらの内蓋４，５で洗濯物出入口２の広さが損なわれないように、蓋３はやや後方に倒した角度まで開放されるようになっている。特に、外筐１の上面がラウンドフォルムなどで湾曲するものの場合、それに合わせて蓋３も湾曲し、後蓋３ａ及び前蓋３ｂも湾曲する。この湾曲した蓋３を二つに折って開放すれば、その厚みが大きくなるため、蓋３は一層後方に倒した角度まで開放されるようになっている。
【０００５】
このため、このような洗濯機を家屋の室壁に添わせて設置した場合には、その室壁から出ている水道栓に蓋３が当たってしまい、設置性が悪くなるという問題点を有していた。
本発明は上述の事情に鑑みてなされたものであり、従ってその目的は、蓋の開閉がしやすく、設置性も良い洗濯機を提供するにある。
【課題を解決するための手段】
【０００６】
上記目的を達成するために、本発明の洗濯機においては、槽を内設した外筐の上部に洗濯物出入口を具え、この洗濯物出入口を開閉する蓋を後蓋と前蓋とで構成したものにおいて、その後蓋を外筐に上下に回動可能に枢支し、前蓋を後蓋に前後にスライド可能に組み合わせて成ることを特徴とする（請求項１の発明）。
【発明の効果】
【０００７】
上記手段によれば、蓋は、開放時には、前蓋を後方にスライドさせた後に、後蓋と共に上方に回動させれば良く、閉鎖時には、前蓋を後蓋と共に下方に回動させた後に、後蓋から前方にスライドさせれば良い。すなわち、従来のもののような蓋を二つに折ったり一つに伸ばしたりすることなく、容易に蓋の開閉ができる。
又、後方にスライドさせた前蓋は、後蓋に添って重なるもので、従来の二つに折る蓋ほど蓋の厚みが大きくなることはない。よって、従来の蓋ほど後方に倒して開放させる必要もなく、家屋の室壁から出ている水道栓との干渉を避けやすくなるから、その分、設置性を良くすることができる。
【発明を実施するための最良の形態】
【０００８】
以下、本発明の第１実施例（第１の実施形態）につき、図１ないし図７を参照して説明する。
まず、図４には、洗濯機、中でもドラム式洗濯機の全体的構成を示しており、複数の脚１１を有する台板１２と、この台板１２上に載置結合した外箱１３、及び外箱１３上に載置結合したトップカバー１４とで構成した外筐１５の内部に、槽１６を横軸状に配設している。この槽１６は、この場合、外槽１６ａと、これの内部に配設した内槽（ドラム）１６ｂの二重槽から成っており、内槽１６ｂは、詳しくは図示しないが、洗濯物の脱水及び乾燥のために多孔状を成している。
【０００９】
このほか、外筐１５の内部には、図示を省略するが、外槽１６ａを弾性支持するスプリング及びダンパ等の支持装置や、内槽１６ｂを回転駆動するモータ等の駆動装置、外槽１６ａ内（内槽１６ｂ内）に給水する給水弁等の給水装置、外槽１６ａ内（内槽１６ｂ内）から排水する排水弁等の排水装置、洗濯物の乾燥に供するファン、ヒータ、及び除湿器等の乾燥装置を配設している。
【００１０】
内槽１６ｂと外槽１６ａ及び外筐１５には、それぞれ上部（外筐１５の場合、トップカバー１４）に洗濯物出入口１７，１８，１９を形成しており、そのうちの内槽１６ｂの洗濯物出入口１７を、その後縁部に軸２０によって上下に回動可能に枢支した内蓋２１により開閉するようにし、外槽１６ａの洗濯物出入口１８を、同じくその後縁部に軸２２によって上下に回動可能に枢支した内蓋２３により開閉するようにしている。
【００１１】
そして、外筐１５の洗濯物出入口１９に対しては、これを開閉する蓋（外蓋）２４を設けている。この蓋２４は、詳細には、後蓋２４ａと前蓋２４ｂとに分けて形成したもので、外筐１５の上面がラウンドフォルムなどで湾曲しているのに合わせて湾曲しており、従って、後蓋２４ａ及び前蓋２４ｂも湾曲している。
しかして、後蓋２４ａは、後端部を軸２５によって外筐１５（トップカバー１４の洗濯物出入口１９後方の部分）に上下に回動可能に枢支しており、又、この後蓋２４ａの左右の両側縁部には、図５に代表して示すように、垂下側壁２６と、この垂下側壁２６の内側に位置するガイド部としての凸条２７とを、ともに後蓋２４ａの湾曲形状に沿わせ形成している。
【００１２】
一方、前蓋２４ｂには、左右の両側縁部に、垂下側壁２８と、この垂下側壁２８の外側に位置する被ガイド部としての凹条２９とを、ともに前蓋２４ｂの湾曲形状に沿わせ形成している。そして、その凹条２９を上記後蓋２４ａの凸条２７にスライド可能に嵌合させており、かくして、前蓋２４ｂを後蓋２４ａに、凹条２９が凸条２７にガイドされる構成にて、スライド可能に組み合わせている。又、その組み合わせ形態は、前蓋２４ｂが後蓋２４ａと二層に重なってスライドする構成であり、更には、前蓋２４ｂが後蓋２４ａ（特にはこれの左右の垂下側壁２６間）に収納及び引き出される形態となっている。
【００１３】
このほか、前蓋２４ｂの前部には、図６に示すように、表面に突部３０を形成している。この突部３０は、この場合、前蓋２４ｂの横幅全長にわたる１条で形成しており、それに合わせて外筐１５（トップカバー１４）には、図７に示すように、それと並び合う１条の突部３１を形成している。
そして更に、前蓋２４ｂの前縁部には、取手３２を形成している。この取手３２は、先端部に横軸部３２ａを有するほゞコ字形を成すもので、前蓋２４ｂの表面より突出すると共に、前蓋２４ｂの前縁よりも前方に突出している。
【００１４】
次に、上記構成のものの作用を述べる。
図４及び図１は、蓋２４が閉鎖されているときの状態を示しており、この状態から、蓋２４を開放させるには、まず、取手３２を手で持って、図２に示すように、前蓋２４ｂを後方にスライドさせる。すると、突部３０が後蓋２４ａに衝止されるから、次いで、取手３２を手で持ったまま、前蓋２４ｂを後蓋２４ａと共に上方に回動させる。図３は、このようにして蓋２４を開放させた状態を示しており、更に、内蓋２３，２１を上方に回動させて開放させた状態を示している。
【００１５】
しかして、この状態から、蓋２４を閉鎖させるには、内蓋２３，２１を下方に回動させて閉鎖させた後、取手３２を手で持って、前蓋２４ｂを後蓋２４ａと共に下方に回動させ、その後に、前蓋２４ｂを後蓋２４ａから前方にスライドさせれば良い。
【００１６】
このように本構成のものでは、蓋２４は、開放時には、前蓋２４ｂを後方にスライドさせた後に、後蓋２４ａと共に上方に回動させれば良く、閉鎖時には、前蓋２４ｂを後蓋２４ａと共に下方に回動させた後に、後蓋２４ａから前方にスライドさせれば良い。すなわち、従来の、蓋３を二つに折ったり一つに伸ばしたりするようなことなく、容易に蓋２４の開閉ができるもので、容易な使用感をもたらすことができる。
【００１７】
又、後方にスライドさせた前蓋２４ｂは、後蓋２４ａに添って重なるもので、それらの蓋２４ｂ，２４ａが外筐１上面のラウンドフォルムなどに合わせ湾曲していても、従来の二つに折る蓋３ほど蓋２４の厚みが大きくなることはない。よって、従来の蓋３ほど後方に倒して開放させる必要もなく、家屋の室壁から出ている水道栓（図示省略）との干渉を避けやすくなる。よって、その分、設置性を良くすることができる。
【００１８】
加えて、上記構成のものの場合、蓋２４は、前蓋２４ｂが後蓋２４ａと二層に重なってスライドする構成としており、これによって、前蓋２４ｂを後蓋２４ａから前方にスライドさせた状態では、前蓋２４ｂの裏面が露出するだけでなく、後蓋２４ａの裏面も露出する。よって、それらの面に付着することが予想される汚れを払拭する掃除が、前蓋２４ｂ及び後蓋２４ａの一方が袋状を成す（前蓋２４ｂが後蓋２４ａと三層に重なる構成であり、袋状を成したものの内面が露出しない）もののような困難性なく、容易にできる。
【００１９】
又、前蓋２４ｂは、後方へのスライド時に後蓋２４ａに衝止される突部３０を有しており、これによって、前蓋２４ｂの後方へのスライド量を、例えば前蓋２４ｂが後蓋２４ａに入り過ぎることのないように規制でき、併せて、外観上のアクセントとしても機能させることができる。
【００２０】
更に、前蓋２４ｂは、表面より突出する取手３２を有しており、これによって、前蓋２４ｂの後方及び前方へのスライド操作をしやすくできる。
そして、前蓋２４ｂは、上述の取手３２を前縁より前方に突出させて有しており、これによって、蓋２４の開放状態でも、図３に示すように、取手３２が前方より使用者に明確に見えるから、それを持つことが容易にでき、ひいては蓋２４の閉鎖操作が容易且つ確実にできる。
【００２１】
このほか、前蓋２４ｂは後蓋２４ａに収納及び引き出される構成としており、これによって、前蓋２４ｂスライド時の摩擦は前蓋２４ｂと後蓋２４ａとの間にのみ生じ、外筐１５（トップカバー１４）と前蓋２４ｂとの間には生じない（前蓋２４ｂが後蓋２４ａの外側に被さる構成であると、外筐１５と前蓋２４ｂとの間にも摩擦が生じる）。よって、その摩擦に対する処置も、後蓋２４ａに施すだけで良く、外筐１５には施さずに外観を良好に維持することができる。
【００２２】
以上に対して、図８及び図９は本発明の第２ないし第２実施例（第２の実施形態）を示すもので、第１実施例と同一の部分には同一の符号を付して説明を省略し、異なる部分についてのみ述べる。
このものの場合、取手３２、特にはこれの横軸部３２ａを、両側の支持部３２ｂ，３２ｃ間に架設したシャフト３２ｄに回動可能に嵌合することにより、前後方向に回動可能に設けている。
【００２３】
このようにすることにより、蓋２４の開閉操作、特には回動操作時における取手３２の手持ち角度の変化に、横軸部３２ａの回動で応動できるから、操作に無理が生ぜず、操作性を良くすることができる。
なお、本発明は上記し且つ図面に示した実施例にのみ限定されるものではなく、特に洗濯機全体としては、ドラム式に限られず、槽を縦軸状に有するものであっても良いなど、要旨を逸脱しない範囲内で適宜変更して実施し得る。
【図面の簡単な説明】
【００２４】
【図１】本発明の第１実施例を示す主要部分の蓋閉鎖状態における縦断側面図
【図２】主要部分の蓋開放途中状態における縦断側面図
【図３】主要部分の蓋及び内蓋開放状態における縦断側面図
【図４】全体の破断側面図
【図５】一部の拡大斜視図
【図６】蓋単体の斜視図
【図７】主要部分の外観斜視図
【図８】本発明の第２実施例を示す図６相当図
【図９】蓋の取手部分の縦断側面図
【図１０】従来例を示す図７相当図
【図１１】主要部分の蓋開放状態における斜視図
【図１２】主要部分の蓋及び内蓋開放状態における斜視図
【符号の説明】
【００２５】
図面中、１５は外筐、１６は槽、１９は洗濯物出入口、２４は蓋、２４ａは後蓋、２４ｂは前蓋、３０は突部、３２は取手を示す。
【図１】
2005152407.tif 000003
【図２】
2005152407.tif 000004
【図３】
2005152407.tif 000005
【図４】
2005152407.tif 000006
【図５】
2005152407.tif 000007
【図６】
2005152407.tif 000008
【図７】
2005152407.tif 000009
【図８】
2005152407.tif 000010
【図９】
2005152407.tif 000011
【図１０】
2005152407.tif 000012
【図１１】
2005152407.tif 000013
【図１２】
2005152407.tif 000014